(57)【要約】【課題】多額の費用をかけて壁面の補強をせずとも、薄型ディスプレイのメリットを活かせるように壁面設置とほぼ同様の設置状態で設置することができ、しかも、環境に合わせて薄型テレビを所望の高さや角度に容易に調整でき、快適に画面を見ることができる画期的なフラットディスプレイスタンドを提供すること。【解決手段】天井面１と床面２との間に突っ張り固定する支柱部３に、薄型ディスプレイ４を支持するディスプレイ支持部５を設け、このディスプレイ支持部５は、前記支柱部３に昇降自在に設けると共に上下揺動自在に設けて角度調整自在な構成としたフラットディスプレイスタンド。【選択図】図１
0003168176.tif 000002
【実用新案登録請求の範囲】
【請求項１】
天井面と床面との間に突っ張り固定する支柱部に、薄型ディスプレイを支持するディスプレイ支持部を設け、このディスプレイ支持部は、前記支柱部に昇降自在に設けると共に上下揺動自在に設けて角度調整自在な構成としたことを特徴とするフラットディスプレイスタンド。
【請求項２】
前記支柱部に前記ディスプレイ支持部を複数並設し、この複数のディスプレイ支持部の夫々を前記支柱部に昇降自在に設けると共に上下揺動自在に設けて角度調整自在な構成としたことを特徴とする請求項１記載のフラットディスプレイスタンド。
【請求項３】
前記ディスプレイ支持部は、前記支柱部と直交状態に横設するディスプレイ支持基体部と、このディスプレイ支持基体部にスライド自在且つ着脱自在に設けるディスプレイ取付部とからなり、このディスプレイ取付部は、上下方向の一側に複数の丸形貫通孔を穿設し他側に上下方向に長さを有する細長貫通孔を穿設したことを特徴とする請求項１，２のいずれか１項に記載のフラットディスプレイスタンド。
【請求項４】
前記支柱部の前面に前記ディスプレイ支持部がスライド自在に可動し得る前面側嵌合部を設け、前記支柱部の背面に前記ディスプレイ支持部がスライド自在に可動し得る背面側嵌合部を設けて、前記支柱部の前面と背面との両面に前記ディスプレイ支持部をスライド自在に設け得る構成としたことを特徴とする請求項１〜３のいずれか１項に記載のフラットディスプレイスタンド。
【請求項５】
前記支柱部の左右側面に、前記ディスプレイ支持部をこの支柱部に螺着するボルトを挿通する複数の貫通孔を、この支柱部の長手方向に一直線上に配設した構成、若しくは、この支柱部の長手方向に一直線上に配設すると共に、前記支柱部の側面幅方向に対向状態に二条配設した構成としたことを特徴とする請求項１〜４のいずれか１項に記載のフラットディスプレイスタンド。
【請求項６】
前記支柱部は、上側支柱部と下側支柱部とを長手方向にスライド可能に嵌合して伸縮自在に構成し、前記上側支柱部の上端と前記下側支柱部の下端の少なくとも一方にアジャスター機能を有する固定脚部を設けたことを特徴とする請求項１〜５のいずれか１項に記載のフラットディスプレイスタンド。
【請求項７】
前記支柱部に載置台を上下可動自在且つ着脱自在に設けたことを特徴とする請求項１〜６のいずれか１項に記載のフラットディスプレイスタンド。
【考案の詳細な説明】
【技術分野】
【０００１】
本考案は、液晶テレビやプラズマテレビ等の薄型ディスプレイを支持するフラットディスプレイスタンドに関するものである。
【背景技術】
【０００２】
液晶テレビやプラズマテレビ等の薄型ディスプレイは奥行き寸法を小さくした薄型軽量であるため、設置時には比較的奥行きの無いスリムなスタンドに設置したり、壁面設置したりすることが可能なため、設置に要する占有床面積が非常に少なくてすむので、室内空間を有効に利用できる利点がある。
【０００３】
しかしながら、近年、薄型ディスプレイの大画面化に伴い、重量も増し、従来のスリムなスタンドタイプの設置台ではこの重くなった薄型ディスプレイを安定して支持することができなくなり、この大型化し重量が増した薄型ディスプレイを支持するためには、従来の箱型テレビ台の如く奥行きのあるワイドな設置台が必要となり、結局、占有床面積も大きくなってしまい、設置時の占有床面積を要しない薄型ディスプレイのメリットが損なわれてしまっている。
【０００４】
また、壁面設置においても、一般住宅の場合、大半は壁材に石膏ボードを用いているために大型化し重量が増した薄型ディスプレイを支持するためには強度不足が生じてしまい壁面の破損を引き起こす可能性があり、そのため、壁面設置するには大掛かりな補強工事が必要となってしまい、この補強工事には多額の費用が掛かってしまうため、多くの人は壁面設置を諦め、上述したような占有床面積を要する大きな設置台に設置しているのが現状である。
【考案の概要】
【考案が解決しようとする課題】
【０００５】
本考案は、多額の費用をかけて壁面の補強をせずとも、薄型ディスプレイのメリットを活かせるように壁面設置とほぼ同様の設置状態で設置することができ、しかも、環境に合わせて薄型テレビを所望の高さや角度に容易に調整でき、快適に画面を見ることができる画期的なフラットディスプレイスタンドを提供することを目的とする。
【課題を解決するための手段】
【０００６】
添付図面を参照して本考案の要旨を説明する。
【０００７】
天井面１と床面２との間に突っ張り固定する支柱部３に、薄型ディスプレイ４を支持するディスプレイ支持部５を設け、このディスプレイ支持部５は、前記支柱部３に昇降自在に設けると共に上下揺動自在に設けて角度調整自在な構成としたことを特徴とするフラットディスプレイスタンドに係るものである。
【０００８】
また、前記支柱部３に前記ディスプレイ支持部５を複数並設し、この複数のディスプレイ支持部５の夫々を前記支柱部３に昇降自在に設けると共に上下揺動自在に設けて角度調整自在な構成としたことを特徴とする請求項１記載のフラットディスプレイスタンドに係るものである。
【０００９】
また、前記ディスプレイ支持部５は、前記支柱部３と直交状態に横設するディスプレイ支持基体部６と、このディスプレイ支持基体部６にスライド自在且つ着脱自在に設けるディスプレイ取付部７とからなり、このディスプレイ取付部７は、上下方向の一側に複数の丸形貫通孔８ａを穿設し他側に上下方向に長さを有する細長貫通孔８ｂを穿設したことを特徴とする請求項１，２のいずれか１項に記載のフラットディスプレイスタンドに係るものである。
【００１０】
また、前記支柱部３の前面に前記ディスプレイ支持部５がスライド自在に可動し得る前面側嵌合部35ａを設け、前記支柱部３の背面に前記ディスプレイ支持部５がスライド自在に可動し得る背面側嵌合部35ｂを設けて、前記支柱部３の前面と背面との両面に前記ディスプレイ支持部５をスライド自在に設け得る構成としたことを特徴とする請求項１〜３のいずれか１項に記載のフラットディスプレイスタンドに係るものである。
【００１１】
また、前記支柱部３の左右側面に、前記ディスプレイ支持部５をこの支柱部３に螺着するボルト13を挿通する複数の貫通孔15を、この支柱部３の長手方向に一直線上に配設した構成、若しくは、この支柱部３の長手方向に一直線上に配設すると共に、前記支柱部３の側面幅方向に対向状態に二条配設した構成としたことを特徴とする請求項１〜４のいずれか１項に記載のフラットディスプレイスタンドに係るものである。
【００１２】
また、前記支柱部３は、上側支柱部９と下側支柱部10とを長手方向にスライド可能に嵌合して伸縮自在に構成し、前記上側支柱部９の上端と前記下側支柱部10の下端の少なくとも一方にアジャスター機能を有する固定脚部11を設けたことを特徴とする請求項１〜５のいずれか１項に記載のフラットディスプレイスタンドに係るものである。
【００１３】
また、前記支柱部３に載置台12を上下可動自在且つ着脱自在に設けたことを特徴とする請求項１〜６のいずれか１項に記載のフラットディスプレイスタンドに係るものである。
【考案の効果】
【００１４】
本考案は上述のように構成したから、壁面に直接設置しなくとも、壁面設置と同様の状態で液晶テレビやプラズマテレビなどの薄型ディスプレイを設置することができるので、大画面で大型化し重量も増した薄型ディスプレイを設置する際も、多額の費用を掛けて壁面の強度を補強する必要が無く、更に、占有床面積を殆ど要しないという薄型ディスプレイが有する本来のメリットを発揮することができ、室内空間を有効に利用することができる。
【００１５】
しかも、本考案は、天井面と床面とに支柱を突っ張り固定するので、壁がないところでも設置することができ、例えば、窓枠に掛かる位置でも容易に設置することができる。
【００１６】
更に、本考案を壁面に螺子等を用いて固定する必要は一切無いので、設置位置を移動した際にも壁面に固定用の螺子跡なども残らず、壁面の見た目を損ねない。
【００１７】
また、本考案は、薄型ディスプレイを支持するディスプレイ支持部を、天井面と床面との間に突っ張り固定する支柱に昇降自在に設けたので、床面に近い高さから天井付近の高い位置まで広い範囲に渡って薄型ディスプレイを使用者が見易い所望の高さに調整することができ、しかも、薄型ディスプレイを高い位置に設けた場合も、薄型ディスプレイを下方側に傾けて画面を正面方向から見ることができ、よって、反射や視野角の変化などによって画面が見難くなるといった不具合が生ずることがない実用性に優れた画期的なフラットディスプレイスタンドとなる。
【００１８】
また、請求項２記載の考案においては、例えば、監視モニターの設置スタンドとして用いた場合、本考案のフラットディスプレイスタンド一台で監視モニター用の薄型ディスプレイを二台或いは三台を上下方向に並設することができ、更に、このフラットディスプレイスタンドを二台、三台と複数並設することで、監視モニターを四台、六台、或いは九台といった複数の監視モニターを近接状態に壁面に並設できるので、少し視点を移動させるだけで別の監視モニターを視認することができ、監視者の負担も少なく、監視効果が向上する。
【００１９】
また、例えば、学校など広い室内でテレビを使用する際、テレビを下側に設置すると席が後の人は前の人が邪魔になって画面を良く見ることができない状態となり、また、後の席の人も画面が見えるように高い位置に設置すると前の席の人は顔を上に向け、窮屈な状態となり、非常に画面を見るのに疲れてしまうという問題が発生するが、本考案は、上下に二台の薄型ディスプレイを並設できるので、席が前側の人は下段側に設置したディスプレイの画面を見て、席が後の人は上段側に設置したディスプレイの画面を見るようにすることで、双方が快適に画面を見ることができる実用性に優れたフラットディスプレイスタンドとなる。
【００２０】
また、請求項３記載の考案においては、薄型ディスプレイのメーカーを選ばす、どのような大きさでも取り付けることが可能となり、しかも、取り付けの際、一々、重い薄型ディスプレイを支持しながら取り付け作業しなくとも、ディスプレイ支持基体部からディスプレイ取付部を取り外し、このディスプレイ取付部を薄型ディスプレイに装着した状態で、ディスプレイ支持部に取り付けることができるので、薄型ディスプレイの設置作業が極めて容易なフラットディスプレイスタンドとなる。
【００２１】
また、請求項４，５記載の考案においては、支柱部の前面と背面との両面にディスプレイを同時に設けることができるので、例えば、支柱部の前面と背面との両面に薄型ディスプレイを設けて室内の中央に設置することで、席が後方の人も、室内の前側に設置した場合に比べて近くなり、画面が見易くなる。特に、請求項５記載の考案においては、支柱部にディスプレイ支持部を螺着するボルトの貫通孔が前面側用と背面側用とで夫々別々に配設されているので、支柱部の前面と背面との両面に同じ高さで薄型ディスプレイを設けることができなど高さ調整位置に制限がない一層実用性に優れたフラットディスプレイスタンドとなる。
【００２２】
また、請求項６記載の考案においては、様々な天井面、床面間の距離に対応することができ、しかも、アジャスター機能で容易に突っ張り固定することができる実用性に優れたフラットディスプレイスタンドとなる。
【００２３】
また、請求項７記載の考案においては、ＤＶＤレコーダーやブルーレイレコーダーといった録画再生装置やパソコンなどの周辺機器を所望の高さに設置することができるので、操作し易い状態で周辺機器を設置することができ、しかも、使用しない場合は取り外すこともできるので、見た目もよく実用性に優れたフラットディスプレイスタンドとなる。
【図面の簡単な説明】
【００２４】
【図１】実施例１を示す正面図である。
【図２】実施例１を示す説明側面図である。
【図３】実施例１のディスプレイ支持部を示す説明側面図である。
【図４】実施例１のディスプレイ支持部を示す分解斜視図である。
【図５】実施例１の支柱及び載置台を示す分解斜視図である。
【図６】実施例１の前面と背面との両側にディスプレイ支持部を取り付けた状態を示す側面図である。
【図７】実施例２の前面と背面との両側にディスプレイ支持部を取り付けた状態を示す側面図である。
【考案を実施するための形態】
【００２５】
好適と考える本考案の実施形態を、図面に基づいて本考案の作用を示して簡単に説明する。
【００２６】
本考案は、天井面１と床面２との間に支柱部３を突っ張り固定し、この突っ張り固定した支柱部３に昇降自在に設けたディスプレイ支持部５で薄型ディスプレイ４を支持するので、薄型ディスプレイ４を壁面に直接設置しなくとも、壁面に直接設置した状態と殆ど変わらない状態で設置することができるので、壁面の強度がないところでも、壁面の強度を補強することなく大型化し重量の増した薄型ディスプレイ４を設置することができ、よって、壁面補強工事に多額の費用を掛けずに済むので、低コスト且つ容易に薄型ディスプレイ４を壁面設置することができる。
【００２７】
更に、薄型ディスプレイ４を支持するディスプレイ支持部５は、支柱部３に昇降自在に設けた構成としたので、薄型ディスプレイ４を床面２に近い低い位置から天井面１付近の高い位置までの所望の高さに設置することができ、しかも、このディスプレイ支持部５を支柱部３に対して上下揺動させることで上下方向の角度調整ができるので、特に、薄型ディスプレイ４を天井面１側の高い位置に設置した際に、視野角のズレや反射によって画面が見難くなることがあるが、このような場合でも薄型ディスプレイ４を下方側に傾けるように角度調整をして薄型ディスプレイ４の画面を正面方向から見ることができるように容易に調整することができるので、常に快適な状態で画面を見ることができる実用性に優れたフラットディスプレイスタンドとなる。
【実施例１】
【００２８】
本考案の具体的な実施例１について図１〜図６に基づいて説明する。
【００２９】
本実施例は、天井面１と床面２との間に突っ張り固定する支柱部３に、薄型ディスプレイ４を支持するディスプレイ支持部５を上下方向に複数並設し、この複数並設した夫々のディスプレイ支持部５を支柱部３に昇降自在に設けると共に上下揺動自在に設けて角度調整自在な構成とした薄型ディスプレイ４を複数設置できるフラットディスプレイスタンドである。
【００３０】
具体的には、支柱部３は、上側支柱部９と下側支柱部10とからなり、この上側支柱部９と下側支柱部10とを長手方向にスライド可能に嵌合して伸縮自在に構成し、上側支柱部９の上端部と下側支柱部10の下端部の少なくとも一方にアジャスター機能を有する固定脚部11を設けた構成としている。
【００３１】
また、この支柱部３、即ち、上側支柱部９と下側支柱部10の夫々は、前面にディスプレイ支持部５がスライド自在に可動し得る前面側嵌合部35ａを設け、背面にディスプレイ支持部５がスライド自在に可動し得る背面側嵌合部35ａを設けて、この支柱部３の前面と背面との両面にディスプレイ支持部５をスライド自在に設け得る構成としている。
【００３２】
より具体的には、支柱部３の上側を構成する上側支柱部９は、断面コ字状に形成した二本の縦杆９ａを、夫々のコ字状の開口部側を対向状態に設けて並設し、この並設した縦杆９ａ間に複数の連結杆９ｂを架設してはしご状枠体に形成し、このはしご状枠体に形成した上側支柱部９の上端部の左右両側、具体的には、二本の縦杆９ａの夫々の上端部にアジャスター機能を有する固定脚部11を突設した構成とし、また、この断面コ字状の対向突設面の前面側とこの前面側対向突設面に連結する側面とを前面側嵌合部35ａとし、断面コ字状の対向突設面の背面側とこの背面側対向突設面に連結する側面とを背面側嵌合部35ｂとして、このＬ字状に形成した夫々の嵌合部35ａ，35ｂに沿って後述するディスプレイ支持部５がスライド自在に設けられる構成としている。
【００３３】
また、この支柱部３は、この支柱部３を構成する上側支柱部９の左右側面にディスプレイ支持部５を螺着するボルト13を挿通する複数の貫通孔15を、この上側支柱部９の長手方向に一直線上に配設した構成としており、この貫通孔15は、上側支柱部９と下側支柱部10とを連結固定する際のボルト14を貫通させる貫通孔15としても共用する構成としている。
【００３４】
また、支柱部３の下側を構成し、上側支柱部９にスライド可能に嵌合する下側支柱部10は、断面コ字状に形成した二本の縦杆10ａを、夫々のコ字状の開口部側を対向状態に設けて並設し、この並設した縦杆10ａ間の下端側に連結杆10ｂを架設し正面視コ字状に形成し、この正面視コ字状に形成した下側支柱部10の下端部の左右両側、具体的には、二本の縦杆10ａの夫々の下端部にアジャスター機能を有する固定脚部11を突設した構成としている。
【００３５】
また、この下側支柱部10は、この下側支柱部10と前述した上側支柱部９とを連結固定するボルト14及び後述する載置台12を支柱部３に螺着するボルト16を貫通させる貫通孔17を複数設けた構成とし、この複数の貫通孔17は、下側支柱部10の長手方向に一直線上に配設した構成としており、また、この貫通孔17は、上側支柱部９に設けた貫通孔15と同一ピッチで配設した構成としている。
【００３６】
このように構成した上側支柱部９と下側支柱部10とを嵌合しボルト13を用いて螺設し連結して支柱部３を構成している。
【００３７】
即ち、この支柱部３は、上側支柱部９のコ字状に形成した縦杆９ａの内面がスライドガイドレールとなり、このスライドガイドレールに下側支柱部10のコ字状に形成した縦杆10ａがスライド自在に嵌合して、この支柱部３の長手方向長さを伸縮自在に構成しており、設置場所の床面２から天井面１までの高さに応じて支柱部３の長さを調整自在に設けた構成としている。
【００３８】
また、本実施例では、上側支柱部９と下側支柱部10とを螺設する際、ボルト14の受側に、ナット26を単体で用いずに、金属板29にナット26を貫通孔15，17と同一ピッチの間隔を設けて溶接したボルト受具30を用いており、このボルト受具30を採用することで、上下いずれかを固定することで他方側はナット26を押さえなくても容易に取り付けることができ、また、ナット26自体も紛失し難くなるというメリットがある。
【００３９】
尚、本実施例ではボルト、ナット固定により上側支柱部９と下側支柱部10とを固定した構成としたが、連結部の固定手段は上記に限定することなく、容易に固定、取り外しができる手段であれば、適宜採用するものとする。
【００４０】
また、ディスプレイ支持部５は、支柱部３と直交状態に横設するディスプレイ支持基体部６と、このディスプレイ支持基体部６にスライド自在且つ着脱自在に設けるディスプレイ取付部７とで構成している。
【００４１】
具体的には、ディスプレイ支持基体部６は、上下対向位置に配設する一対の横フレーム材６ａと左右対向位置に配設する一対の縦フレーム材６ｂとで横長方形状枠体に形成し、この横長方形状枠体に支柱部３と固定する固定部18を設けた構成としている。
【００４２】
より具体的には、固定部18は、Ｌ字状に形成した板材の長手側板面にディスプレイ支持部５を支柱部３に固定するためのボルト13を貫通させる上側貫通孔19ａと下側貫通孔19ｂとを形成し、本実施例では、上側貫通孔19は丸形貫通孔に形成し、下側貫通孔19ｂは上側貫通孔19ａを支点とした円弧状の長孔貫通孔に形成している。
【００４３】
また、この固定部18は、横フレーム材６ａに左右対向状態に配設して平面視コ字状に構成し、具体的には、一対の固定部18を支柱部３の上側支柱部９の外側から嵌合する間隔に設けてディスプレイ支持基体部６を構成する横フレーム材６ａに後方に向けて突設している。
【００４４】
また、この平面視コ字状の固定部18は、支柱部３の前面に設けた前面側嵌合部35ａ、具体的には、上側支柱部９の前面と側面との断面Ｌ字部と嵌合して上側支柱部９の前面に、長手方向にスライド自在に設け得る構成とすると共に、支柱部３の背面に設けた背面側嵌合部35ｂ、具体的には、上側支柱部９の背面と側面との断面Ｌ字部と嵌合して上側支柱部９の背面に、長手方向にスライド自在に設け得る構成としている。
【００４５】
また、このディスプレイ支持基体部６にスライド自在且つ着脱自在に設けるディスプレイ取付部７は、一対の上下方向に長さを有する断面コ字状の細長棒状体に引っ掛け係止部20を設けた構成としている。
【００４６】
具体的には、このディスプレイ取付部７は、薄型ディスプレイ４の取り付け面となる細長棒状体７ａの前面の上下方向の一側に複数の丸形貫通孔８ａを穿設し他側に上下方向に長さを有する細長貫通孔８ｂを穿設し、この丸形貫通孔８ａ，細長貫通孔８ｂにディスプレイ固定螺子を挿通して薄型ディスプレイ４をディスプレイ取付部７に螺着する構成としており、本実施例では、ディスプレイ取付部７の上側に丸形貫通孔８ａを複数穿設し、下側に細長貫通孔８ｂを穿設した構成としている。
【００４７】
また、引っ掛け係止部20は、先端部に垂設面20ａを設けた鉤状に形成し、この垂設面20ａに雌螺子部21を形成した構成としている。
【００４８】
また、ディスプレイ取付部７は、この引っ掛け係止部20を断面コ字状に形成した細長棒状体７ａの裏面に上下方向に二つ並設すると共に、コ字状の開口部側に向けて突設した構成とし、この細長棒状体７ａに上下二段に設けた引っ掛け係止部20をディスプレイ支持基体部６の上下二本の横フレーム材６ａに夫々引っ掛け係止すると共に、この横フレーム材６ａに沿ってスライド自在に嵌合し得る構成としている。
【００４９】
このように、ディスプレイ取付部７は、このディスプレイ支持基体部６にスライド自在且つ着脱自在に設けた構成としたので、ディスプレイ取付部７の横方向の寸法を自在に調整でき、更に、このディスプレイ取付部７の上下方向の一側に複数の丸形貫通孔８ａを穿設し他側に上下方向に長さを有する細長貫通孔８ｂを穿設したので、様々な大きさの薄型ディスプレイ４に取り付け対応可能な構成としている。
【００５０】
また、前述したディスプレイ支持基体部６の上側横フレーム材６ａの左右上端部には、このように構成したディスプレイ取付部７の引っ掛け係止部20がディスプレイ支持基体部６から脱落することを防止する脱落防止凸部22を設けた構成とし、例えば、ディスプレイ取付部７をディスプレイ支持基体部６に固定し忘れて、不意に移動させてしまった場合でも、この脱落防止凸部22に引っ掛け係止部20が当接してディスプレイ取付部７のスライドが停止しディスプレイ取付部７がディスプレイ支持基体部６から脱落しないように構成している。
【００５１】
このように構成したディスプレイ支持基体部６にディスプレイ取付部７を引っ掛け係止した状態で固定してディスプレイ支持部５を構成しており、このディスプレイ取付部７をディスプレイ支持基体部６に固定する際は、ディスプレイ取付部７の引っ掛け係止部20に設けた雌螺子部21に締め付け固定ボルト23を螺着し、この締め付け固定ボルト23を締め付けてゆくことでディスプレイ支持基体部６とディスプレイ取付部７とが圧接状態になり、強固に固定される構成としている。
【００５２】
また、このように構成したディスプレイ支持部５を支柱部３に取り付ける際、固定手段としてボルトとナットを用いているが、本実施例では、ボルト13の受側に、ナット27を単体で用いずに、金属板31にナット27を貫通孔15と同一ピッチの間隔を設けて溶接したボルト受具32を用いており、このボルト受具32を採用することで、上下いずれかを固定することで他方側はナット27を押さえなくても容易に取り付けることができ、また、ナット27自体も紛失し難くなるというメリットがある。
【００５３】
また、本実施例は、支柱部３にＤＶＤレコーダーやブルーレイレコーダーといった録画再生装置やパソコンなどの周辺機器を設置し得る載置台12を上下可動自在且つ着脱自在に設けた構成としている。
【００５４】
この載置台12は、載置部12ａとなる方形状の板材に固定部24を設けた構成とし、具体的には、載置部12ａとなる板材の後端部にコ字状に形成した固定部24を設け、このコ字状に形成した固定部24の対向する一対の突設面24ａに、この載置台12を支柱部３に固定するためのボルト16を貫通する貫通孔25を上下二箇所に形成した構成とし、この上下二箇所に形成する貫通孔25は、前述した上側支柱部９及び下側支柱部10に設けた貫通孔15，17と同一ピッチで形成している。
【００５５】
また、この載置台12を支柱部３に取り付ける際、固定手段としてボルトとナットを用いているが、本実施例では、ボルト16の受側に、ナット28を単体で用いずに、金属板33にナット28を貫通孔17，25と同一ピッチの間隔を設けて溶接したボルト受具34を用いており、このボルト受具34を採用することで、上下いずれかを固定することで他方側はナット28を押さえなくても容易に取り付けることができ、また、ナット28自体も紛失し難くなるというメリットがある。
【００５６】
尚、この載置台12は、支柱部３に複数設置してもよく、また、任意の位置に設置することもできるので、設置数、設置位置は適宜決定するものとする。
【００５７】
本実施例は上述のように構成したので、本実施例を使用する際は、以下のように設置する。
【００５８】
まず、支柱部３を天井面１と床面２との間に突っ張り固定状態に設置する。この際、設置場所によって天井面１と床面２との間の距離、即ち、床面２から天井面１までの高さが異なるので、設置場所に応じて上側支柱部９と下側支柱部10とをスライドさせて適宜な長さに調整すると共に、上側支柱部９の左右側面に設けた貫通孔15と下側支柱部10の左右側面に設けた貫通孔17とを連通状態にし、この連通状態にした夫々の貫通孔15，17にボルト14を挿通し受け側にナット26を溶接したボルト受具30を用いて締め付け固定する。
【００５９】
この適宜な長さに調整した支柱部３を天井面１、床面２間に立設し、上側支柱部９及び下側支柱部10に夫々設けたアジャスター機能を有する固定脚部11の突出量を調整して天井面１と床面２との間に強固に突っ張り固定する。
【００６０】
次いで、この天井面１と床面２との間に立設した支柱部３の所望の高さの位置にディスプレイ支持部５を取り付ける。このディスプレイ支持部５を支柱部３に取り付ける際は、立設している支柱部３に対して水平にディスプレイ支持部５に設けたコ字状の固定部18を挿入嵌合し、支柱部３の上側支柱部９に設けた貫通孔15と固定部18に設けた上側貫通孔19ａ及び下側貫通孔19ｂとが連通状態となるように合わせ、この連通状態となった貫通孔15，19ａと貫通孔15，19ｂとに夫々ボルト13を挿通しナット27を溶接したボルト受具32を用いて締め付け固定する。
【００６１】
また、このディスプレイ支持部５を支柱部３に取り付ける際、ディスプレイ支持部５の固定部18に設けた下側貫通孔19ｂを円弧状の長孔貫通孔に形成したので、上側貫通孔19ａに挿入したボルト13を支点として円弧状の長孔貫通孔の一端側から他端側の移動範囲でこのディスプレイ支持部５を支柱部３に対して上下方向に揺動することができ、よって、支柱部３に対してディスプレイ支持部５を上下方向に角度調整することができるので、ディスプレイ支持部５に支持された薄型ディスプレイ４の画面の向きを所望の角度に調整し固定する。
【００６２】
次いで、載置台12を支柱部３に取り付ける。この載置台12を支柱部３に取り付ける際は、支柱部３の上側支柱部９に設けた貫通孔15若しくは下側支柱部10に設けた貫通孔17と載置台12の固定部24に設けた貫通孔25とを連通状態にし、この連通状態にした貫通孔15，25若しくは貫通孔17，25にボルト16を挿通してナット28を溶接したボルト受具34を用いて締め付け固定し設置完了となる。
【００６３】
尚、本実施例では、この載置台12を、上側支柱部９と下側支柱部10とを連結固定する位置に設置したので、連通状態にした貫通孔15，17，25にボルト14を挿通して、上側支柱部９と下側支柱部10との連結固定する際に、同時に載置台12を支柱部３に固定している。
【００６４】
よって、本実施例においては、ボルト14とボルト16、およびボルト受具30とボルト受具34は、夫々共通のものとしている。
【００６５】
このように設置した本実施例に薄型ディスプレイ４を設置する際は、ディスプレイ支持部５のディスプレイ取付部７をディスプレイ支持基体部６から取り外し、薄型ディスプレイ４に取り付け、このディスプレイ取付部７を取り付けた薄型ディスプレイ４を、ディスプレイ支持基体部６に引っ掛け係止し、この引っ掛け係止したディスプレイ取付部７が安易に外れないようにディスプレイ取付部７の引っ掛け係止部20に設けた雌螺子部21に締め付け固定ボルト23を螺着し、この締め付け固定ボルト23を締め付けてゆくことでディスプレイ支持基体部６とディスプレイ取付部７とを圧接状態にし、ディスプレイ取付部７をディスプレイ支持基体部６に強固に固定する。
【００６６】
このように、極めて簡易な作業で容易に薄型ディスプレイ４を壁面設置と略同様の状態に設置することができ、最後に、ディスプレイ支持基体部６に設けた固定部18のボルト13を緩めて薄型ディスプレイ４の画面の向きを視野角のズレが生じたり反射によって見難くなったりしないように角度調整し、薄型ディスプレイ４の画面を視点の正面方向に向くように調整し設置完了となる。
【００６７】
本実施例は、上述したように極めて簡易な構成で、且つ、極めて容易に薄型ディスプレイ４を設置できる実用性に優れた画期的なフラットディスプレイスタンドであり、しかも、一台で複数の薄型ディスプレイ４を同時に設置することができ、更に、前面だけでなく背面にも薄型ディスプレイ４を設置できるので、様々な用途に対応できる。
【００６８】
例えば、本実施例のフラットディスプレイスタンドを監視モニターの設置スタンドとして用いた場合、一台で監視モニター用の薄型ディスプレイ４を二台若しくは三台、上下方向に並設することができ、更に、本実施例を二台、三台と複数並設することで、監視モニター用の薄型ディスプレイ４を四台、六台、或いは九台という具合に壁面一杯に並設できるので、監視者が薄型ディスプレイ４の画面をモニターする際、少し視点を移動させるだけで別の薄型ディスプレイ４の画面を視認することができ、監視業務において、監視者の負担も少なく、監視効果が向上する。
【００６９】
また、従来、学校など広い室内で薄型ディスプレイ４を用いる場合、薄型ディスプレイ４を下側に設置すると席が後の人は前の人が邪魔になって画面を良く見ることができない状態となり、また、後の席の人も画面が見えるように高い位置に設置すると前の席の人は顔を上に向け、窮屈な状態となり、非常に画面を見るのに疲れてしまうという問題が生じていたが、支柱部３の上下方向に二台の薄型ディスプレイ４を並設することで、席が前側の人は下段側に設置した薄型ディスプレイ４の画面を見て、席が後の人は上段側に設置した薄型ディスプレイ４の画面を見るようにすることで、双方が快適に薄型ディスプレイ４の画面を見ることができ、或いは、教室の真ん中に、図６に示すような、支柱部３の前面と背面との両面にディスプレイ支持部５を設けた本実施例のフラットディスプレイスタンドを設置し、このフラットディスプレイスタンドを境にして前側の人と後ろ側の人が向かい合うように座ることで、教室の後席の人も画面に近くなり、非常に見易くなる。
【００７０】
しかも、本実施例のディスプレイ取付部７は、このディスプレイ支持基体部６にスライド自在且つ着脱自在に設けた構成としたので、ディスプレイ取付部７の横方向の寸法を自在に調整でき、更に、このディスプレイ取付部７の上下方向の一側に複数の丸形貫通孔８ａを穿設し他側に上下方向に長さを有する細長貫通孔８ｂを穿設したので、様々な大きさの薄型ディスプレイ４を取り付けることができるので、上側には後席の人用に大画面（例えば４０〜５０インチ程度）の薄型ディスプレイ４を設置し、下側には通常の画面サイズ（例えば３０インチ前後の大きさ）の薄型ディスプレイ４といった異なる画面サイズの薄型ディスプレイ４も並設状態に設置でき、しかも、上側の高い位置に設置した薄型ディスプレイ４は視野角のズレや反射が生じ易いが、この視野角のズレや反射が起きないように薄型ディスプレイ４の画面正面を下方に傾けることができ、また、その最適角度の調整も容易にできるので、より一層、室内全員が快適に画面を見ることができる実用性に優れた画期的なフラットディスプレイスタンドとなる。
【実施例２】
【００７１】
本考案の具体的な実施例２について図７に基づいて説明する。
【００７２】
本実施例は、実施例１と同様のフラットディスプレイスタンドであるが、実施例１と支柱部３に設ける貫通孔15の配設構成が異なるものである。
【００７３】
具体的には、実施例１は、支柱部３の左右側面に、ディスプレイ支持部５をこの支柱部３に螺着するボルト13を挿通する複数の貫通孔15を、この支柱部３の長手方向に一直線上に配設した構成としており、これに対して、本実施例は、支柱部３の左右側面に、ディスプレイ支持部５をこの支柱部３に螺着するボルト13を挿通する複数の貫通孔15を、この支柱部３の長手方向に一直線上に配設すると共に、この支柱部３の側面幅方向に対向状態に二条配設した構成としている。
【００７４】
即ち、本実施例では、支柱部３、具体的には、上側支柱部９の左右側面に、これら側面の短手方向となる幅方向に対向する一対の貫通孔15を、この上側支柱部９の長手方向に一直線上に配設して貫通孔15で形成した二条の列を形成している。
【００７５】
また、この上側支柱部９と連結する下側支柱部10も同様に、左右側面に、これら側面の短手方向となる幅方向に対向する一対の貫通孔17を、この上側支柱部９の長手方向に一直線上に配設して貫通孔17で形成した二条の列を形成している。
【００７６】
このように支柱部３を構成することで、支柱部３の前面にディスプレイ支持部５を螺着するためのボルト13を挿通する貫通孔15と支柱部３の背面にディスプレイ支持部５を螺着するためのボルト13を挿通する貫通孔15とを共有しなくてもよいので、支柱部３の前面と背面との両面に同じ高さで薄型ディスプレイ４を設けることができる一層実用性に優れたフラットディスプレイスタンドとなる。
【００７７】
その余は実施例１と同様である。
【００７８】
尚、本発明は、実施例１，２に限られるものではなく、各構成要件の具体的構成は適宜設計し得るものである。
【符号の説明】
【００７９】
１  天井面
２  床面
３  支柱部
４  薄型ディスプレイ
５  ディスプレイ支持部
６  ディスプレイ支持基体部
７  ディスプレイ取付部
８ａ  丸形貫通孔
８ｂ  細長貫通孔
９  上側支柱部
10  下側支柱部
11  固定脚部
12  載置台
13  ボルト
15  貫通孔
35ａ  前面側嵌合部
35ｂ  背面側嵌合部
【図１】
0003168176.tif 000003
【図２】
0003168176.tif 000004
【図３】
0003168176.tif 000005
【図４】
0003168176.tif 000006
【図５】
0003168176.tif 000007
【図６】
0003168176.tif 000008
【図７】
0003168176.tif 000009